Podtech/llm-jp-corpus-v4-ja_patent huggingface dataset:
【手続補正書】
【提出日】平成19年2月19日(2007.2.19)
【手続補正１】
【補正対象書類名】特許請求の範囲
【補正対象項目名】全文
【補正方法】変更
【補正の内容】
【特許請求の範囲】
【請求項１】
装置のハウジングに組み込まれるアンテナであって、
少なくとも１つの基板と、
少なくとも１つの共振プリント導体基板と、
少なくとも１つの第１の接続ピンおよび少なくとも１つの第２の接続ピンと、
を有し、前記第１の接続ピンが地電位に接続されており、前記第２の接続ピンがプリント回路基板に高周波の給電をなすために設けられている
アンテナ。
【請求項２】
前記第１および第２の接続ピンが接点を介してそれぞれのプリント導体基板に接続されることを特徴とする請求項１に記載のアンテナ。
【請求項３】
前記第１の接続ピンが第１の接点を介して第１の共振プリント導体基板に接続され、前記第１の共振プリント導体基板の長さが第１の周波数帯域に調整されることを特徴とする請求項１に記載のアンテナ。
【請求項４】
前記アンテナが前記プリント回路基板と接していない別のプリント導体基板を有することを特徴とする請求項１に記載のアンテナ。
【請求項５】
前記接続ピンがスプリングピンの形であることを特徴とする請求項１に記載のアンテナ。
【請求項６】
少なくとも１つの基板と、
少なくとも１つの共振プリント導体基板と、
少なくとも１つの第１の接続ピンおよび少なくとも１つの第２の接続ピンと、
を有し、前記第１の接続ピンが地電位に接続されており、前記第２の接続ピンが高周波の給電をなすために設けられている
第１のアンテナがそのハウジングに組み込まれている装置。
【請求項７】
少なくとも１つの第１のアンテナおよび少なくとも１つの第２のアンテナが送信または受信のために前記ハウジングに設けられていることを特徴とする請求項６に記載の装置。
【請求項８】
前記第１および第２のアンテナが互いに別々に駆動されることを特徴とする請求項７に記載の装置。
【請求項９】
前記第１のアンテナおよび前記第２のアンテナによる接触が前記プリント回路基板の２つの異なる側で行われることを特徴とする請求項７に記載の装置。
【請求項１０】
前記第１のアンテナおよび／または前記第２のアンテナがパッシブ共振基板の形で備えられることを特徴とする請求項７に記載の装置。
【請求項１１】
請求項１に記載のアンテナを有する、特に電子部品の表面実装のためのプリント回路基板。
【手続補正２】
【補正対象書類名】明細書
【補正対象項目名】００３１
【補正方法】変更
【補正の内容】
【００３１】
【図１】装置のハウジングに組み込まれた第１のアンテナを示す図である。
【図２】２つの誘電ブロックアンテナ（ＤＢＡ）を含む、いわゆるダイバシティアンテナサブモジュールを示す図である。
【図３】アンテナの第１の実施形態のＳ１１パラメータがたどる曲線を示す図である。
【図４】アンテナの第２の実施形態のＳ１１パラメータがたどる曲線を示す図である。
【図５】ダイバシティアンテナサブモジュールのアンテナ間で測定されたアイソレーションを示す図である。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
ディジタルデータを高レートでホストデバイスとクライアントデバイスとの間で通信経路によって転送する電子システムにおいて同期を得るときに使用する状態機械であって、少なくとも１つの同期獲得状態の同期状態、および少なくとも２つの同期状態の同期状態をもつように構成された状態機械。
【請求項２】
同期獲得状態と第１の同期状態との間をシフトする１つの条件が、通信リンクにおける同期パターンの存在を検出することである請求項１記載の状態機械。
【請求項３】
同期獲得状態と第１の同期状態との間をシフトする第２の条件が、フレーム境界においてサブフレームヘッダパケットおよび好適なＣＲＣ値の存在を検出することである請求項２記載の状態機械。
【請求項４】
第１の同期状態と同期獲得状態との間をシフトする１つの条件が、サブフレーム境界において非同期パターンまたは不適当なＣＲＣ値の存在を検出することである請求項１記載の状態機械。
【請求項５】
第１の同期状態と第２の同期状態との間をシフトする１つの条件が、サブフレーム境界において非同期パターンまたは不適当なＣＲＣ値の存在を検出することである請求項１記載の状態機械。
【請求項６】
同期獲得状態と第１の同期状態との間をシフトする１つの条件が、通信リンクにおける同期パターンの存在を検出することと、好適なパケットのＣＲＣ値の存在を検出することである請求項１記載の状態機械。
【請求項７】
第１の同期状態と同期獲得状態との間をシフトする条件が、パケット内に不適当なＣＲＣ値の存在を検出することである請求項１記載の状態機械。
【請求項８】
ディジタルデータを高レートでホストデバイスとクライアントデバイスとの間で通信経路によって転送する電子システムにおいて同期を得るのに使用するための状態機械であって、状態機械が、少なくとも１つの同期獲得状態の同期状態と、少なくとも２つの同期状態の同期状態とをもつように構成され、第１の同期状態と同期獲得状態との間を直接にシフトする条件が、一連のパケットの何れかに不適当なＣＲＣ値の存在を検出することである状態機械。
【請求項９】
第１の同期状態と同期獲得状態との間を直接にシフトする条件が、ユニークワードが、それが到達すると予測されるときに現れないときを検出することである請求項８記載の状態機械。
【請求項１０】
ユーザに提示するために、ディジタルデータを高レートでホストデバイスとクライアントデバイスとの間で通信経路によって転送する方法であって、
複数の予め定義されたパケット構造の１つ以上を生成し、それらを一緒にリンクして、予め定義された通信プロトコルを形成することと、
前記通信プロトコルを使用して、ディジタル制御および提示データの予め選択された組を前記ホストデバイスと前記クライアントデバイスとの間で通信することと、
前記ホストデバイス内に存在する少なくとも１つのホストリンク制御装置を前記通信経路によって前記クライアントデバイスに結合することであって、ホストリンク制御装置が、前記通信プロトコルを形成しているパケットを生成、送信、受信するように、およびディジタル提示データをデータパケットの１つ以上のタイプへ形成するように構成されていることと、
前記リンク制御装置を使用して、データをパケットの形で前記通信経路によって転送することと、
前記ホストによって、少なくとも１５０クロックサイクルの間、データラインをハイ状態に駆動し、データラインがゼロであるかのようにストローブ信号を伝送し始めることによって、通信リンクを起動することとを含む方法。
【請求項１１】
ホストが１５０クロックサイクルの間データラインをハイに駆動した後で、前記ホストによって５０クロックサイクルの間データラインをローに駆動し、一方で、ストローブ信号を伝送し続けることをさらに含む請求項１０記載の方法。
【請求項１２】
前記ホストによって第１のサブフレームヘッダパケットを伝送し始めることをさらに含む請求項１０記載の方法。
【請求項１３】
前記クライアントによって、ハイであるデータラインの少なくとも１５０連続クロックサイクルと、その後のローであるデータラインの少なくとも５０連続クロックサイクルをカウントすることをさらに含む請求項１０記載の方法。
【請求項１４】
前記クライアントによって第１のサブフレームのユニークワードをサーチすることをさらに含む請求項１３記載の方法。
【請求項１５】
クライアントがハイであるデータの７０連続クロックサイクルをカウントした後で、前記クライアントによってデータラインをハイに駆動することを止めることをさらに含む請求項１３記載の方法。
【請求項１６】
前記クライアントによって、ハイであるデータラインの別の８０連続クロックサイクルをカウントして、ハイであるデータラインの１５０クロックサイクルに到達し、ローであるデータラインの５０クロックサイクルを探し、ユニークワードを探すことをさらに含む請求項１５記載の方法。
【請求項１７】
ディジタルデータがＣＲＣ値をもつパケットの形でホストデバイスとクライアントデバイスとの間で通信経路によって転送される通信システムにおいて、誤りコードを転送する方法であって、誤りの存在を検出することと、前記誤りに対応する所定の誤りコードを選択することと、ＣＲＣ値を前記コードで上書きすることとを含む方法。
【請求項１８】
転送される連続するパケット内の前記ＣＲＣ値を、前記誤りが訂正されるまで上書きすることをさらに含む請求項１７記載の方法。
【請求項１９】
ユーザに提示するために、ディジタルデータを高レートでホストデバイスとクライアントデバイスとの間で通信経路によって転送する方法であって、
各々が少なくとも１つのＣＲＣフィールドを含む複数の予め定義されたパケット構造の１つ以上を生成し、それらを一緒にリンクして、予め定義された通信プロトコルを形成することと、
前記通信プロトコルを使用して、ディジタル制御および提示データの予め選択された組を前記ホストデバイスと前記クライアントデバイスとの間で前記通信経路によって通信することと、
前記ホストデバイス内に存在する少なくとも１つのホストリンク制御装置を前記通信経路によって前記クライアントデバイスに結合することであって、ホストリンク制御装置が、前記通信プロトコルを形成しているパケットを生成、送信、受信するように、およびディジタル提示データをデータパケットの１つ以上のタイプへ形成するように構成されていることと、
前記リンク制御装置を使用して、データをパケットの形で前記通信経路によって転送することと、
通信リンクにおいて誤りの存在を検出することと、
前記誤りに対応する所定の誤りコードを選択することと、
ＣＲＣ値を前記コードで上書きすることとを含む方法。
【請求項２０】
転送される連続するパケット内の前記ＣＲＣ値を、前記誤りが訂正されるまで上書きすることをさらに含む請求項１９記載の方法。
【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
表面の周囲区域の少なくとも一部分を、精製されたパージガスとを接触させる工程（前記パージガスは酸素、水またはこれらの組合わせを含み、前記精製されたパージガスは容積を基準にして約１ｐｐｂ未満のＡＭＣ濃度を有する。）、
汚染物質の一部分を前記表面から前記精製されたパージガス中に移動させることによって、汚染されたパージガスを生成する工程、および
前記表面の周囲区域から汚染されたパージガスを除去する工程
を含む、表面から空中分子汚染物質（ＡＭＣ）を除去する方法。
【請求項２】
パージガスを精製して精製されたパージガスを生成する工程（前記パージガスは酸素を含んでおり、前記精製されたパージガスは容積を基準にして約１ｐｐｂ未満のＡＭＣ濃度を有する。）、
表面の少なくとも一部分を前記精製されたパージガスと接触させる工程、
汚染物質の一部分を前記表面から前記精製されたパージガス中に移動させることによって、汚染されたパージガスを生成する工程、および
前記表面から汚染されたパージガスを除去する工程
を含む、表面から空中分子汚染物質（ＡＭＣ）を除去する方法。
【請求項３】
前記方法が、汚染されたパージガス中の汚染物質濃度が容積を基準にして約１ｐｐｂ以下のＡＭＣになるまで反復される、請求項２に記載の方法。
【請求項４】
前記精製されたパージガスが、容積を基準にして約１００ｐｐｔ未満のＡＭＣの濃度を有する、請求項２に記載の方法。
【請求項５】
前記精製されたパージガスが、容積を基準にして約１０ｐｐｔ未満のＡＭＣの汚染物質濃度を有する、請求項２に記載の方法。
【請求項６】
前記精製されたパージガスが、容積を基準にして約１ｐｐｔ未満のＡＭＣの汚染物質濃度を有する、請求項２に記載の方法。
【請求項７】
前記精製されたパージガスが、さらに水を含んでいる、請求項２に記載の方法。
【請求項８】
前記水が、前記パージガスの約１００ｐｐｍから約２容量％を構成する、請求項７に記載の方法。
【請求項９】
前記水が、前記パージガスの約１００ｐｐｍから約０．５容量％を構成する、請求項８に記載の方法。
【請求項１０】
前記表面がデバイスの内面を含み、前記デバイスが１つの空間を取り囲んでいる、請求項２に記載の方法。
【請求項１１】
前記デバイスが、少なくとも１つのシリコン基体を取り囲んでいる、請求項１０に記載の方法。
【請求項１２】
前記表面が、超高純度ガスライン構成要素の内面である、請求項２に記載の方法。
【請求項１３】
前記表面が、バルブの内面である、請求項２に記載の方法。
【請求項１４】
前記汚染ガスを前記デバイスから除去した後、前記デバイスを不活性ガスでパージする工程をさらに含む、請求項２に記載の方法。
【請求項１５】
前記不活性ガスが、窒素、アルゴン、貴ガス、メタンおよびこれらの組合わせからなる群から選択される、請求項１４に記載の方法。
【請求項１６】
パージガスを精製して、精製されたパージガスを生成する工程（前記パージガスは容積を基準にして約１％から２５％の濃度で酸素を含んでおり、前記精製されたパージガスは容積を基準にして約１ｐｐｂ未満のＡＭＣ濃度を有する。）、
表面の少なくとも一部分を前記精製されたパージガスと接触させる工程、
汚染物質の一部分を前記表面から前記精製されたパージガス中に移動させることによって、汚染されたパージガスを生成する工程、および
前記表面から汚染されたパージガスを除去する工程
を含む、表面から空中分子汚染物質（ＡＭＣ）を除去する方法。
【請求項１７】
汚染されたパージガス中の汚染物質濃度が容積を基準にして１ｐｐｂ以下になるまで前記方法を続行する工程を含む、請求項１６に記載の方法。
【請求項１８】
前記精製されたパージガスが、容積を基準にして１０ｐｐｔ未満のＡＭＣの汚染物質濃度を有する、請求項１６に記載の方法。
【請求項１９】
前記精製されたパージガスが、容積を基準にして１ｐｐｔ未満のＡＭＣの汚染物質濃度を有する、請求項１６に記載の方法。
【請求項２０】
前記精製されたパージガスが、さらに水を含んでいる、請求項１６に記載の方法。
【請求項２１】
前記水が、前記パージガスの約１００ｐｐｍから約２容量％を構成する、請求項２０に記載の方法。
【請求項２２】
前記表面が、デバイスの内面を含み、前記デバイスが１つの空間を取り囲んでいる、請求項１６に記載の方法。
【請求項２３】
前記デバイスが、少なくとも１つのシリコン基体を取り囲んでいる、請求項２２に記載の方法。
【請求項２４】
パージガスを精製して精製されたパージガスを生成する工程（前記パージガスは水を含んでおり、前記精製されたパージガスは容積を基準にして約１ｐｐｂ未満のＡＭＣ濃度を有する。）、
表面の少なくとも一部分を前記精製されたパージガスと接触させる工程、
汚染物質の一部分を前記表面から前記精製されたパージガス中に移動させることによって、汚染されたパージガスを生成する工程、および
前記表面から汚染されたパージガスを除去する工程
を含む、表面から空中分子汚染物質（ＡＭＣ）を除去する方法。
【請求項２５】
前記工程が、汚染されたパージガス中の前記汚染物質濃度が容積を基準にして約１ｐｐｂ以下になるまで反復される、請求項２４に記載の方法。
【請求項２６】
前記精製されたパージガスが、容積を基準にして約１０ｐｐｔ未満のＡＭＣの汚染物質濃度を有する、請求項２４に記載の方法。
【請求項２７】
前記精製されたパージガスが、容積を基準にして約１ｐｐｔ未満のＡＭＣの汚染物質濃度を有する、請求項２４に記載の方法。
【請求項２８】
前記水が、前記パージガスの１００ｐｐｍから２容量％を構成する、請求項２４に記載の方法。
【請求項２９】
前記水が、前記パージガスの１００ｐｐｍから０．５容量％を構成する、請求項２８に記載の方法。
【請求項３０】
前記汚染ガスを前記デバイスから除去した後、前記デバイスを不活性ガスでパージする工程をさらに含む、請求項２４に記載の方法。
【請求項３１】
前記不活性ガスが、窒素、アルゴン、貴ガス、メタンおよびこれらの組合わせからなる群から選択される、請求項３０に記載の方法。
【請求項３２】
前記表面がデバイスの内面を含み、前記デバイスが１つの空間を取り囲んでいる、請求項２４に記載の方法。
【請求項３３】
前記デバイスが、少なくとも１つのシリコン基体を取り囲んでいる、請求項３２に記載の方法。
【請求項３４】
前記表面が、超高純度ガスライン構成要素の内面である、請求項２４に記載の方法。
【請求項３５】
前記表面が、バルブの内面である、請求項２４に記載の方法。
【請求項３６】
ウエハ製造施設において、表面の少なくとも一部分を精製されたパージガスと接触させる工程（前記パージガスは酸素、水またはこれらの組合わせを含み、前記精製されたパージガスは容積を基準にして約１ｐｐｂ未満のＡＭＣ濃度を有する。）、
ＡＭＣの一部分を前記表面から前記精製されたパージガス中に移動させることによって、汚染されたパージガスを生成する工程、および
前記表面から汚染されたパージガスを除去する工程
を含む、ウエハ製造施設において表面から空中分子汚染物質（ＡＭＣ）を除去する方法。
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
回線電力供給型ネットワーク要素内の電流検知回路において、
電源装置から出力電流を受領するべく接続されている入力ノードと、
前記出力電流を信号合成回路に伝達するべく接続されている伝達ノードと、
前記出力電流に比例した計測可能信号を供給するべく前記入力ノードに接続されている電流／電圧変換回路と、
前記変換回路に接続されている整流回路と、
前記整流回路に接続されている低域通過フィルタ回路と、
前記低域通過フィルタ回路に接続されている信号ノードであって、前記出力電流を表す検知信号が前記信号ノードに接続されている、信号ノードと、
を有する電流検知回路。
【請求項２】
前記電流／電圧変換回路は、１つ又は複数のトランスを更に有する請求項１記載の電流検知回路。
【請求項３】
１つ又は複数のトランスのそれぞれは、巻回数が１である一次側巻線を具備している請求項２記載の電流検知回路。
【請求項４】
前記検知信号は、前記電源装置によって供給される前記出力電流を表すアナログ出力信号である請求項１記載の電流検知回路。
【請求項５】
回線電力供給型ネットワーク内の電流検知システムにおいて、
出力電流をツイストペア回線に供給するべく適合されている電源装置と、
ツイストペア回線上において通信信号を前記出力電流と合成するべく適合されているスプリッタと、
前記電源装置と前記スプリッタの間において、前記電源装置の前記出力電流をサンプリングするべく接続されている検知回路であって、前記出力電流を表す検知信号を出力するべく適合されている検知回路と、
を有する電流検知システム。
【請求項６】
前記検知回路からの前記検知信号は、前記出力電流に比例するＤＣ値を供給する請求項５記載の電流検知システム。
【請求項７】
前記検知回路は、前記出力電流を計測可能信号に変換するべく適合されている請求項５記載の電流検知システム。
【請求項８】
前記検知回路からの前記検知電流に応答して、１つ又は複数のコントローラ出力信号を選択的に出力するべく適合されているコントローラを更に有する請求項５記載の電流検知システム。
【請求項９】
前記１つ又は複数のコントローラ信号は、前記電源装置を調節する請求項８記載の電流検知システム。
【請求項１０】
前記コントローラは、前記検知信号を１つ又は複数の基準信号と比較するべく適合された比較器回路を更に有する請求項８記載の電流検知回路。
【請求項１１】
前記１つ又は複数のコントローラ出力の中の１つは、前記出力電流の生成を停止するように前記電源装置に対して指示する請求項８記載の電流検知回路。
【請求項１２】
前記コントローラに接続されたアラームを更に有しており、前記１つ又は複数のコントローラ出力信号の中の１つは、選択された状態が前記検知信号内において計測された際に、前記アラームを作動させる請求項８記載の電流検知システム。
【請求項１３】
前記選択された状態は、前記検知電流が、選択された電流値レンジ外にある状態である請求項１２記載の電流検知システム。
【請求項１４】
回線電力供給型ネットワークのツイストペア回線内の電流を検知する方法において、
電源装置の出力電流を検知回路に接続する段階と、
前記出力電流を計測可能信号に変換する段階と、
前記出力電流を低域通過フィルタによってフィルタリングする段階と、
前記電源装置の前記出力電流を表す検知信号を出力する段階と、
前記出力電流を信号合成回路に伝達する段階と、
を有する方法。
【請求項１５】
検知信号をＡＣアナログ信号からＤＣ信号に変換する段階と、
前記検知信号を１つ又は複数の基準信号と比較する段階と、
を更に有する請求項１４記載の方法。
【請求項１６】
前記検知信号が前記１つ又は複数の基準信号のレンジ外にある場合に、アラームを作動させる段階を更に有する請求項１５記載の方法。
【請求項１７】
前記検知信号が前記１つ又は複数の基準信号のレンジ外にある場合に、前記出力電流を調節する段階を更に有する請求項１５記載の方法。
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
アクセスネットワーク内の電力ソースネットワークエレメント及び電力シンクネットワークエレメントについてのエレメント管理システムにおける電力を管理する方法であって、
少なくとも一つのプリミティブを備えたライン電力マネージャの少なくとも一つのインスタンスを供給し、
前記電力ソースネットワークエレメント及び前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
電力管理を実行する前記電力ソースネットワークエレメントと前記電力シンクネットワークエレメントの機能による使用のために、前記電力ソースネットワークエレメントと前記電力シンクネットワークエレメントの少なくとも一つに対して前記少なくとも一つのプリミティブの選択されたものを渡し、
前記少なくとも一つのプリミティブの少なくとも一つを監視し、
前記電力ソースネットワークエレメントと前記電力シンクネットワークエレメントについての電力状態に応答して前記少なくとも一つのプリミティブの監視されるものに基づいて前記エレメント管理システムにおいて選択的に処置すること、
を含むことを特徴とする方法。
【請求項２】
前記選択的に処置することは、前記電力ソースネットワークエレメント及び前記電力シンクネットワークエレメントの一つについての悪い電力状態に応答して警告を表示することを含む、請求項１に記載の方法。
【請求項３】
前記警告を表示することは、グラフィカルユーザインターフェース上に警告を表示することを含む、請求項２に記載の方法。
【請求項４】
前記ライン電力マネージャの少なくとも一つのインスタンスを供給することは、供給されるサービスのタイプと関連する電力プロファイルに基づいて１以上のプリミティブを選択することを含む、請求項１に記載の方法。
【請求項５】
前記少なくとも一つのプリミティブを備えたライン電力マネージャの少なくとも一つのインスタンスを供給することは、供給されるサービスについての電力管理の処置及び基準のセットを定義するパラメータと情報を備えたライン電力マネージャの少なくとも一つのインスタンスを供給することを含む、請求項１に記載の方法。
【請求項６】
前記ライン電力マネージャの少なくとも一つのインスタンスを供給することは、ユーザインターフェースにおいて１以上のプリミティブを選択することを含む、請求項１に記載の方法。
【請求項７】
さらに、前記電力マネージャの各インスタンスと関連するプリミティブのデータベースを管理することを含む、請求項１に記載の方法。
【請求項８】
前記少なくとも一つの導体を前記ライン電力コントローラに関連付けることは、通信信号も運ぶ少なくとも一つの導体を関連付けることを含む、請求項１に記載の方法。
【請求項９】
前記少なくとも一つの導体を前記ライン電力コントローラに関連付けることは、少なくとも一つのメディアインターフェースを備えた少なくとも一つの導体を関連付けることを含む、請求項１に記載の方法。
【請求項１０】
アクセスネットワークの電力ソースネットワークエレメント及び電力シンクネットワークエレメントについてのエレメント管理システムにおける電力を管理する方法であって、
前記電力シンクネットワークエレメントの加入者インターフェースについてのサービスを構築し、
前記サービスの提供と関連する前記電力シンクネットワークエレメントにおいて電力使用方法を管理するプリミティブのセットを特定し、
前記プリミティブのセットを備えた前記サービスについてのライン電力マネージャの少なくとも一つのインスタンスを供給し、
前記電力ソースネットワークエレメントと前記電力シンクネットワークエレメントのそれぞれにおいて関連するライン電力コントローラの少なくとも一つのインスタンスを供給し、
前記電力ソースネットワークエレメントと前記電力シンクネットワークエレメントの間に結合される少なくとも一つの導体を前記ライン電力コントローラに関連付け、
前記電力ソースネットワークエレメントと前記電力シンクネットワークエレメントの少なくとも一つのライン電力制御機能による使用のために、前記電力ソースネットワークエレメントと前記電力シンクネットワークエレメントに対して前記プリミティブのセットの選択されたものを渡し、
前記プリミティブのセットを前記エレメント管理システムにおいてデータベース内の前記ライン電力マネージャのインスタンスと関連付けること、
を含むことを特徴とする方法。
【請求項１１】
前記プリミティブのセットを特定することは、供給されるサービスタイプと関連する電力プロファイルからプリミティブのセットを自動的に選択すること、ユーザインターフェースを通じたプリミティブを選択すること、及び前記供給されるサービスと関連するプリミティブのセットを備える電力プロファイルを選択することの一つを含む、請求項１０に記載の方法。
【請求項１２】
前記電力ソースネットワークエレメントと前記電力シンクネットワークエレメントに対して前記プリミティブの選択されたものを渡すことは、前記電力シンクネットワークエレメントにおいて電力を管理するために前記電力ソースネットワークエレメントに対して選択されたプリミティブを渡すことを含む、請求項１０に記載の方法。
【請求項１３】
前記電力ソースネットワークエレメントと前記電力シンクネットワークエレメントに対して前記プリミティブの選択されたものを渡すことは、前記電力シンクネットワークエレメントにおいて電力を管理するために前記電力シンクネットワークエレメントに対して選択されたプリミティブを渡すことを含む、請求項１０に記載の方法。
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
電力信号および通信信号を共通通信リンクにて伝送できるようにするためのスプリッタであって、
通信線に結合されるように構成された回線ポートと、
電力信号を受信すべく電力供給部に結合されるように構成された電力供給ポートと、
通信信号を生成しまた受信する通信回路に結合されるように構成された通信ポートと、
結合インダクタを含み、前記電力供給ポートと回線ポートとの間に結合された低域通過フィルタと、
前記通信ポートに結合された高域通過フィルタと、
を含むスプリッタであり、
前記通信信号および電力信号が、前記回線ポートにおいて前記通信線上に伝送されるスプリッタ。
【請求項２】
前記結合インダクタは、
第１の巻線と、
第２の巻線と、
共通の磁心と、
を含み、前記第１の巻線が電力供給ポートの第１の端子に結合され、前記第２の巻線が前記電力供給ポートの第２の端子に結合される請求項１に記載のスプリッタ。
【請求項３】
前記低域通過フィルタがさらに、前記電力ポートの第１のポートと第２のポートとの間に結合された少なくとも１つのコンデンサを含む請求項１に記載のスプリッタ。
【請求項４】
前記高域通過フィルタはさらに、前記通信ポートの第１および第２の端子にそれぞれ結合された一対のコンデンサを含む請求項１に記載のスプリッタ。
【請求項５】
通信信号を伝送する回線上へ電力を注入するための回路において、
通信信号を受信するための手段と、
電力信号を受信するための手段と、
前記通信信号を受信するための手段に結合され、調整された通信信号を生成すべく前記通信信号に対して高ＤＣインピーダンスおよび低ＡＣインピーダンスを提供するための手段と、
前記電力信号を受信するための手段に結合され、調整された電力信号を生成すべく前記電力信号に対して高ＡＣインピーダンスおよび低ＤＣインピーダンスを提供するための結合インダクタ手段と、
前記の調整された通信信号と前記の調整された電力信号とを組合せるための手段と、
を含んでなる回路。
【請求項６】
前記電力信号を受信するための手段が、第１および第２の端子を含む請求項５に記載の回路。
【請求項７】
前記の高ＤＣインピーダンスおよび低ＡＣインピーダンスを提供するための手段が、通信信号を受信するための前記手段の第１および第２の入力端子にそれぞれ結合された一対のコンデンサからなる請求項５に記載の回路。
【請求項８】
高ＡＣインピーダンスおよび低ＤＣインピーダンスを提供するための前記結合インダクタ手段が、
第１の巻線、第２の巻線および共通の磁心を備えるインダクタと、
前記第１および第２の巻線の各片端間に結合された少なくとも１つのコンデンサと、
を含んでなる請求項５に記載の回路。
【請求項９】
通信線上へ電力信号を注入するための方法において、
通信信号を受信する段階と、
電力信号を受信する段階と、
調整された通信信号を生成すべく、前記通信信号に対し高ＤＣインピーダンスおよび低ＡＣインピーダンスを提供する段階と、
調整された電力信号を生成すべく、結合インダクタを用いて、前記電力信号に対し高ＡＣインピーダンスおよび低ＤＣインピーダンスを提供する段階と、
前記の調整された通信信号と共に同じ通信線上に、前記の調整された電力信号を伝送する段階と、
からなる方法。
【請求項１０】
前記の通信信号を受信する段階が、上りおよび下り通信信号を受信する段階を含む請求項９に記載の方法。
【請求項１１】
前記の電力信号を受信する段階が、ＤＣ電源からの信号を受信する段階を含む請求項９に記載の方法。
【手続補正書】
【提出日】平成19年5月16日(2007.5.16)
【手続補正１】
【補正対象書類名】特許請求の範囲
【補正対象項目名】請求項１９
【補正方法】変更
【補正の内容】
【請求項１９】
推薦を生成するためのコンピュータ読取り可能な媒体に実現されるコンピュータプログラムであって、
推薦を生成するためのフィードバックとして新たに作成された好みのカテゴリを入力するコンピュータ読み取り可能なプログラムコード手段と、
前記新たに作成された好みのカテゴリに対応する好みの情報を生成するコンピュータ読み取り可能なプログラムコード手段と、
生成された好みの情報の少なくとも一部に基づいて推薦を生成するコンピュータ読み取り可能なプログラムコード手段と、
を含むコンピュータプログラム。
【手続補正書】
【提出日】平成19年6月12日(2007.6.12)
【手続補正１】
【補正対象書類名】特許請求の範囲
【補正対象項目名】全文
【補正方法】変更
【補正の内容】
【特許請求の範囲】
【請求項１】
喫煙物品用のラッパーの生成に用いられる触媒改質ウェブ充填剤であって、
ウェブ充填剤材料と、
前記ウェブ充填剤材料上に担持されたナノ粒子一酸化炭素触媒と、
を含むことを特徴とする触媒改質ウェブ充填剤。
【請求項２】
前記ナノ粒子一酸化炭素触媒がナノ粒子酸化鉄触媒を含むことを特徴とする請求項１に記載の触媒改質ウェブ充填剤。
【請求項３】
ウェブと、
触媒改質ウェブ充填剤と、
を含む請求項１に記載の喫煙物品用のラッパー。
【請求項４】
前記ナノ粒子一酸化炭素触媒がナノ粒子酸化鉄触媒であることを特徴とする請求項３に記載のラッパー。
【請求項５】
前記ナノ粒子一酸化炭素触媒が、酸化鉄以外のナノ粒子触媒を更に含むことを特徴とする請求項４に記載のラッパー。
【請求項６】
前記ナノ粒子酸化鉄触媒が、ＦｅＯＯＨ、α−Ｆｅ2Ｏ3、γ−Ｆｅ2Ｏ3、又はその混合物を含むことを特徴とする請求項４または５のいずれかに記載に記載のラッパー。
【請求項７】
前記ウェブ充填剤材料が、第ＩＩ族、第ＩＩＩ族又は第ＩＶ族金属の酸化物、炭酸塩、又は水酸化物を含むことを特徴とする請求項３に記載のラッパー。
【請求項８】
請求項３に記載のラッパーを有するタバコロッドを備えた喫煙物品。
【請求項９】
前記ナノ粒子一酸化炭素触媒の前記ウェブ充填剤に対する比率（重量パ−セント）が、０．１〜３．０であることを特徴とする請求項８に記載の喫煙物品。
【請求項１０】
前記ラッパーが、前記喫煙物品のプラグラップ、オーバーラップ又はタバコウェブであることを特徴とする請求項８に記載の喫煙物品。
【請求項１１】
前記ラッパーが、前記喫煙物品の燃料要素及び／又は膨張管をオーバーラップすることを特徴とする請求項８に記載の喫煙物品。
【請求項１２】
前記ラッパーが、前記喫煙物品の熱源を囲むことを特徴とする請求項８に記載の喫煙物品。
【請求項１３】
前記ラッパーが、熱源と香味ベッドとの間にあることを特徴とする請求項１に記載の喫煙物品。
【請求項１４】
前記ラッパーが、タバコカット充填剤により囲まれる内側管であることを特徴とする請求項８に記載の喫煙物品。
【請求項１５】
前記ナノ粒子触媒がナノ粒子酸化鉄触媒を含み、前記ウェブ充填剤材料が炭酸カルシウムを含むことを特徴とする請求項８に記載の喫煙物品。
【請求項１６】
前記ナノ粒子酸化鉄触媒の平均粒子サイズが０．１〜１０ｎｍであり、前記炭酸カルシウムが、前記ラッパーの１０〜６０％の重量を構成することを特徴とする請求項１５に記載の喫煙物品。
【請求項１７】
前記ラッパーが、半径方向内側部分及び半径方向外側部分を有し、前記半径方向内側部分が前記ナノ粒子一酸化炭素触媒の第１の充填量を有し、前記半径方向外側部分が前記ナノ粒子一酸化炭素触媒の第２の充填量を有することを特徴とする請求項８に記載の喫煙物品。
【請求項１８】
（ｉ）前記ナノ粒子一酸化炭素触媒及び前記ウェブ充填剤材料の水性スラリーを形成する段階と、
（ｉｉ）任意選択的に前記水性スラリーを担持表面上に広げる段階と、
（ｉｉｉ）前記水性スラリーを乾燥させて水を蒸発させ、前記触媒改質ウェブ充填剤を形成する段階と、
を含む請求項１に記載の触媒改質ウェブ充填材を作製する方法。
【請求項１９】
（ｉ）液相から前記ナノ粒子一酸化炭素触媒を前記ウェブ充填剤材料上に沈殿させる段階と、
（ｉｉ）前記液相の少なくとも一部を除去する段階と、
（ｉｉｉ）沈殿ナノ粒子一酸化炭素を有する前記ウェブ充填剤材料を乾燥させて前記液相の残りを蒸発させ、前記触媒改質ウェブ充填剤を形成する段階と、
を含む請求項１に記載の触媒改質ウェブ充填剤を作製する方法。
【請求項２０】
前記ナノ粒子一酸化炭素触媒を気相から前記ウェブ充填剤材料上に堆積する段階を含み、
前記ナノ粒子一酸化炭素触媒がＦｅＯＯＨ、α−Ｆｅ2Ｏ3、γ−Ｆｅ2Ｏ3、又はその混合物を含み、前記ウェブ充填剤材料がＣａＣＯ3、ＴｉＯ2、ＳｉＯ2、Ａｌ2Ｏ3、ＭｇＣＯ3、ＭｇＯ及びＭｇ（ＯＨ）2から成る群から選択されることを特徴とする請求項１に記載の触媒改質ウェブ充填剤を作製する方法。
【請求項２１】
（ｉ）触媒改質ウェブ充填剤とセルロ−ス材料とを製紙機械の形成区域内のヘッドボックスに供給する段階と、
（ｉｉ）前記触媒改質ウェブ充填剤及び前記セルロ−ス材料を含む水性スラリーを前記製紙機械の形成区域上に堆積させて、前記触媒改質ウェブ充填剤が分配されたベースウェブを形成する段階と、
（ｉｉｉ）前記ベースウェブから水を除去して中間ウェブのシートを形成する段階と、
を含む請求項３に記載の方法。
【請求項２２】
（ｉ）セルロ−ス材料を製紙機械の形成区域の第１のヘッドボックスに供給する段階と、
（ｉｉ）前記第１のヘッドボックスから前記製紙機械の形成区域上に水性スラリーを堆積させて前記セルロ−ス材料のベースウェブを形成する段階と、
（ｉｉｉ）前記触媒改質ウェブ充填剤を前記ベースウェブ上に分配する段階と、
（ｉｖ）前記ベースウェブから水を除去して中間ウェブのシートを形成する段階と、
を含む請求項３に記載のラッパーを製造する方法。
【請求項２３】
（ｉ）セルロ−ス材料を含む完成紙料を製紙機械の形成区域の第１のヘッドボックスに供給する段階と、
（ｉｉ）前記製紙機械を通して担持ウェブを輸送する段階と、
（ｉｉｉ）触媒改質ウェブ充填剤を前記担持ウェブ上に堆積する段階と、
（ｉｖ）前記第１のヘッドボックスから水性スラリーを前記担持ウェブ上に堆積させて、前記担持ウェブが埋め込まれた前記セルロ−ス材料のパルプウェブを形成する段階と、
（ｖ）前記パルプウェブから水を除去してシートを形成する段階と、
（ｖｉ）前記シートを取り上げる段階と、
を含む請求項３に記載のラッパーを製造する方法。
【請求項２４】
前記ラッパーが二層ラッパーであって、
（ｉ）第１の完成紙料組成物を保持する第１のヘッドボックスから前記二層ラッパーペーパーの第１の層を製紙機械のワイヤ上に堆積する段階と、
（ｉｉ）触媒改質ウェブ充填剤を含む第２の完成紙料組成物を保持する第２のヘッドボックスから前記二層ラッパーの第２の層を前記第１の層の一部の上に堆積する段階と、
（ｉｉｉ）前記第１の層及び前記第２の層から水を除去して単一シートを形成する段階と、
（ｉｖ）前記シートを取り上げる段階と、
を含む請求項３に記載のラッパーを製造する方法。
【請求項２５】
（ｉ）ラッパーの生成に用いられるウェブ充填剤材料にナノ粒子一酸化炭素触媒を組み込み、触媒改質ウェブ充填剤を形成する段階と、
（ｉｉ）前記ラッパーを作製する段階と、
（ｉｉｉ）タバコを含むカット充填剤を紙巻タバコ製造機械に供給する段階と、
（ｉｖ）前記ラッパーを前記カット充填剤の周りに配置して前記喫煙物品のタバコロッド部分を形成する段階と、
を含む請求項８に記載の喫煙物品を作製する方法。
【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
第１の装置が外部装置を制御するための方法であって、
第１および第２のモードのうちの一方に前記第１の装置を設定するステップを含み、
データ・バスを介して、前記外部装置との接続がなされると、前記第１のモードが設定され、前記データ・バスを介して、前記外部装置との前記接続が終了されると前記第２のモードが設定され、
前記方法は、
ユーザ入力装置からの第１の制御プロトコルの第１のコマンド信号を受信するステップと、
前記第１のモードが設定されている場合に、前記第１のコマンド信号に応答して第２の制御プロトコルの第２のコマンド信号を生成し、前記データ・バスを介して前記第２のコマンド信号を前記外部装置に出力するステップと、
前記第２のモードが設定されている場合に、前記第２のコマンド信号を生成、出力することなく前記第１のコマンド信号に応じた機能を実行するステップと、
を含む、前記方法。
【請求項２】
入出力手段と処理手段とを備える装置であって、
前記入出力手段は、データ・バスを介して前記装置と外部装置との間の信号転送を可能にし、
前記処理手段は、ユーザ入力装置からの第１の制御プロトコルの第１のコマンド信号を検出し、前記装置の第１および第２のモードの一方を検出し、
前記処理手段は、前記データ・バスを介して前記装置と前記外部装置との接続がなされると前記第１のモードを検出し、前記データ・バスを介して前記装置と前記外部装置との接続が終了されると前記第２のモードを検出し、
前記処理手段は、前記第１のモードが検出された場合に、前記第１のコマンド信号に応答して前記データ・バスを介して第２の制御プロトコルの第２のコマンド信号を前記入出力手段が前記外部装置に出力することを可能にし、
前記処理手段は、前記第２のモードが検出された場合に、前記第２のコマンド信号の前記外部装置への出力を可能とすることなく前記第１のコマンド信号に応じた前記装置の機能を実行可能にする、前記装置。
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
画像を、該画像についての一つまたは複数の閲覧条件のもとに表示する閲覧端末と、
前記閲覧端末を較正する測定装置とを有するソフト校正システムであって、
前記閲覧条件が、前記測定装置が前記閲覧端末の較正を誤差の大きさがある最大値以下になるようサポートしているとわかっているという条件を含むことを特徴とする、システム。
【請求項２】
測定装置を使って閲覧端末を較正し、
一つまたは複数の閲覧条件が満たされていない場合、閲覧端末上での画像の表示を制限することを含む方法であって、
前記閲覧条件が、前記測定装置が前記閲覧端末の較正を誤差の大きさがある最大値以下になるようサポートしているとわかっている測定装置であるという条件を含むことを特徴とする方法。
【請求項３】
前記測定装置が認証された測定装置であることを検証するために前記測定装置と通信し、前記測定装置から一意的な識別情報を取得し、該一意的な識別情報に基づいて前記測定装置が認証された測定装置であることを検証することをさらに含むことを特徴とする、請求項２記載の方法。
【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
通信装置を無線ネットワークに登録するための初期情報を、無線ネットワークの管理装置から通信装置へ仲介する仲介装置であって、
無線ネットワークに通信装置を登録するにあたり、前記管理装置から初期情報を受信する受信手段と、
前記初期情報を保持する保持手段と、
前記初期情報を、前記通信装置へ送信する転送手段とを備え、
受信手段における初期情報の受信と、転送手段における初期情報の送信とには、無線ネットワークで用いられるキャリアよりも到達範囲の狭いキャリアを用い、
前記受信手段における初期情報の受信に用いるキャリアが前記管理装置へ到達可能な第１の位置において、前記取得手段による初期情報の取得がなされ、
前記第１の位置から、前記転送手段における初期情報の送信に用いるキャリアが前記通信装置へ到達可能な第２の位置へ移動の後に、当該第２の位置において、前記転送手段による初期情報の送信がなされる
ことを特徴とする仲介装置。
【請求項２】
前記初期情報の受信と送信とに、異なるキャリアが用いられる、請求項１の仲介装置。
【請求項３】
保持手段に保持された初期情報を消去する消去手段を更に備える、請求項１の仲介装置。
【請求項４】
前記初期情報の消去は、前記送信した初期情報が前記通信手段に受信された場合になされる、請求項３の仲介装置。
【請求項５】
前記消去手段は、前記通信装置から通知を受けることにより、初期情報が前記通信装置に受信されたことを確認する、請求項４の仲介装置。
【請求項６】
前記保持手段は、不揮発性強誘電体メモリであり、
前記初期情報の消去は、初期情報の破壊読出しにより実現される、請求項３の仲介装置。
【請求項７】
通信装置を無線ネットワークに登録するための初期情報を、仲介装置を用いて無線ネットワークの管理装置から通信装置へ仲介する通信装置登録方法であって、
通信装置を登録するにあたり、前記仲介装置において、前記初期情報を管理装置から受信する受信ステップと、
取得された初期情報を前記仲介装置において保持する保持ステップと、
保持されている初期情報を、前記仲介装置から前記通信装置へ送信する転送ステップとを含み、
受信ステップにおける初期情報の受信と、転送ステップにおける初期情報の送信とには、無線ネットワークで用いられるキャリアよりも到達範囲の狭いキャリアを用い、
前記受信ステップにおける初期情報の受信に用いるキャリアが前記管理装置から到達可能な第１の位置において、前記取得ステップによる初期情報の取得がなされ、
前記第１の位置から、前記転送ステップにおける初期情報の送信に用いるキャリアが前記通信装置へ到達可能な第２の位置へ前記仲介装置を移動させた後に、当該第２の位置において、前記転送ステップによる初期情報の送信がなされる
ことを特徴とする通信装置登録方法。
【手続補正２】
【補正対象書類名】明細書
【補正対象項目名】０００６
【補正方法】変更
【補正の内容】
【０００６】
上記目的を達成するために、本発明に係る管理装置は、データ通信を行う無線ネットワークに、通信装置を登録する管理装置であって、通信装置を登録するにあたり、認証のための初期情報を、当該初期情報を通信装置へ中継するための仲介装置へ、所定のキャリアを用いて送信する送信手段と、仲介装置から初期情報を受け取った前記通信装置を、前記初期情報と同じ情報を用いて認証する認証手段と、認証した通信装置とのデータ通信を、前記無線ネットワークを介して行う通信手段とを備え、ここで、前記所定のキャリアが到達する範囲は、前記無線ネットワークのためのキャリアが到達する範囲に比較して狭い。
また、上記目的を達成するために、本発明に係る仲介装置は、通信装置を無線ネットワークに登録するための初期情報を、無線ネットワークの管理装置から通信装置へ仲介する仲介装置であって、無線ネットワークに通信装置を登録するにあたり、前記管理装置から初期情報を受信する受信手段と、前記初期情報を保持する保持手段と、前記初期情報を、前記通信装置へ送信する転送手段とを備え、受信手段における初期情報の受信と、転送手段における初期情報の送信とには、無線ネットワークで用いられるキャリアよりも到達範囲の狭いキャリアを用い、前記受信手段における初期情報の受信に用いるキャリアが前記管理装置へ到達可能な第１の位置において、前記取得手段による初期情報の取得がなされ、前記第１の位置から、前記転送手段における初期情報の送信に用いるキャリアが前記通信装置へ到達可能な第２の位置へ移動の後に、当該第２の位置において、前記転送手段による初期情報の送信がなされることを特徴とする。
【手続補正３】
【補正対象書類名】明細書
【補正対象項目名】００２２
【補正方法】変更
【補正の内容】
【００２２】
これによって、初期情報は無線ネットワーク上で送受信されることなく、管理装置と通信装置との間で共有されるので、無線ネットワークが不正者により盗み見されている場合にも、初期情報が漏洩することはない。
上記目的を達成するために、本発明に係る仲介装置は、通信装置を無線ネットワークに登録するための初期情報を、無線ネットワークの管理装置から通信装置へ仲介する仲介装置であって、無線ネットワークに通信装置を登録するにあたり、前記管理装置から初期情報を受信する受信手段と、前記初期情報を保持する保持手段と、前記初期情報を、前記通信装置へ送信する転送手段とを備え、受信手段における初期情報の受信と、転送手段における初期情報の送信とには、無線ネットワークで用いられるキャリアよりも到達範囲の狭いキャリアを用い、前記受信手段における初期情報の受信に用いるキャリアが前記管理装置へ到達可能な第１の位置において、前記取得手段による初期情報の取得がなされ、前記第１の位置から、前記転送手段における初期情報の送信に用いるキャリアが前記通信装置へ到達可能な第２の位置へ移動の後に、当該第２の位置において、前記転送手段による初期情報の送信がなされることを特徴とする。
【手続補正４】
【補正対象書類名】明細書
【補正対象項目名】００２３
【補正方法】変更
【補正の内容】
【００２３】
ここで、仲介装置が所定のキャリアを用いて初期情報を送受信していれば、無線ネットワークが不正者により盗み見されていても初期情報が漏洩することはない。
さらに、管理装置と通信装置とが、互いに所定のキャリアを用いて通信できない位置に設置されている場合にも、仲介装置を第１の位置から第２の位置へ持ち運び、それぞれの位置で通信可能な装置と通信することで、通信装置と管理装置との間で簡便に初期情報を共有することができる。
また、前記初期情報の受信と送信とに、異なるキャリアが用いられるとしてもよい。
これによって、管理装置が具備する通信機能と、通信装置が具備する通信機能とが、それぞれ異なるキャリアを用いて通信する場合にも、仲介装置を用いることによって、管理装置と通信装置との間で簡便に初期情報を共有することができる。
【手続補正５】
【補正対象書類名】明細書
【補正対象項目名】００２７
【補正方法】変更
【補正の内容】
【００２７】
これによって、保持手段が保持する初期情報を簡便に消去できる。
【手続補正６】
【補正対象書類名】明細書
【補正対象項目名】００２８
【補正方法】削除
【補正の内容】
【手続補正書】
【提出日】平成19年3月22日(2007.3.22)
【手続補正１】
【補正対象書類名】特許請求の範囲
【補正対象項目名】全文
【補正方法】変更
【補正の内容】
【特許請求の範囲】
【請求項１】
マスタ機器がスレーブ機器を管理するネットワークシステムに用いられる、マスタ機能を備えた機器であって、
自己の機器の状態変化に関する所定情報を少なくとも含む自機器情報を管理する自機器情報管理部と、
ネットワーク接続された他の機器に関して、マスタ機能の有無を少なくとも含んだ他機器情報を管理する他機器情報管理部と、
少なくとも時間又は季節毎にマスタ候補となる機器を指示したスケジュール情報を管理するスケジュール情報管理部と、
マスタ機器として動作している場合に、所定のタイミングにおいて、前記スケジュール情報によって当該所定のタイミングにおける時間又は季節に指示されたマスタ候補となるスレーブ機器の中から、前記他機器情報に基づいて最適な１つのスレーブ機器を特定し、当該特定したスレーブ機器から状態変化に関する所定情報を取得する機器情報処理部と、
前記機器情報処理部が取得した前記特定したスレーブ機器の状態変化に関する所定情報と前記自機器情報に含まれる前記自機器の状態変化に関する所定情報とを比較し、前記特定したスレーブ機器の方が状態変化が少なければ当該２つの機器間でマスタ動作とスレーブ動作とを交換する交換制御部とを備える。
【請求項２】
請求項１に従属する機器であって、
前記スケジュール情報によって指示される時間毎にマスタ候補となる機器は、その時間に利用頻度が高くなると予想される機器を除いた機器であることを特徴とする。
【請求項３】
請求項１に従属する機器であって、
前記スケジュール情報によって指示される季節毎にマスタ候補となる機器は、その季節に利用頻度が高くなると予想される機器を除いた機器であることを特徴とする。
【請求項４】
請求項１に従属する機器であって、
前記交換制御部は、前記他機器情報管理部で管理される情報を、新たにマスタ動作を行う機器に送信することを特徴とする。
【請求項５】
請求項１に従属する機器であって、
前記所定のタイミングは、前記自機器情報管理部で管理される自機器情報に変化が生じたときであることを特徴とする。
【請求項６】
請求項５に従属する機器であって、
前記自機器情報の変化が、電池残量の低下であることを特徴とする。
【請求項７】
請求項５に従属する機器であって、
前記自機器情報の変化が、通信品質の低下であることを特徴とする。
【請求項８】
スレーブ動作を行っている機器に対してマスタ動作を行っている機器が実行するマスタ／スレーブ交換方法であって、
所定のタイミングにおいて、少なくとも時間又は季節毎にマスタ候補となる機器を指示したスケジュール情報によって当該所定のタイミングにおける時間又は季節に指示されたマスタ候補となるスレーブ機器の中から、ネットワーク接続された他の機器に関してマスタ機能の有無を少なくとも含んだ他機器情報に基づいて最適な１つのスレーブ機器を特定するステップと、
前記特定したスレーブ機器から状態変化に関する所定情報を取得するステップと、
前記機器情報処理部が取得した前記特定したスレーブ機器の状態変化に関する所定情報と、自己の機器に関する自機器情報に含まれる前記自機器の状態変化に関する所定情報とを比較し、前記特定したスレーブ機器の方が状態変化が少なければ当該２つの機器間でマスタ動作とスレーブ動作とを交換するステップとを備える。
【請求項９】
スレーブ動作を行っている機器に対してマスタ動作を行っている機器に、マスタ／スレーブ交換方法を実行させるためのコンピュータ読み取り可能なプログラムであって、
前記プログラムは、機器に、
所定のタイミングにおいて、少なくとも時間又は季節毎にマスタ候補となる機器を指示したスケジュール情報によって当該所定のタイミングにおける時間又は季節に指示されたマスタ候補となるスレーブ機器の中から、ネットワーク接続された他の機器に関してマスタ機能の有無を少なくとも含んだ他機器情報に基づいて最適な１つのスレーブ機器を特定するステップと、
前記特定したスレーブ機器から状態変化に関する所定情報を取得するステップと、
前記機器情報処理部が取得した前記特定したスレーブ機器の状態変化に関する所定情報と、自己の機器に関する自機器情報に含まれる前記自機器の状態変化に関する所定情報とを比較し、前記特定したスレーブ機器の方が状態変化が少なければ当該２つの機器間でマスタ動作とスレーブ動作とを交換するステップとを実行させる。
【請求項１０】
マスタ機器がスレーブ機器を管理するネットワークシステムに用いられる、マスタ機能を備えた機器に用いられる集積回路であって、
前記集積回路は、
自己の機器の状態変化に関する所定情報を少なくとも含む自機器情報を管理する自機器情報管理部、
ネットワーク接続された他の機器に関して、マスタ機能の有無を少なくとも含んだ他機器情報を管理する他機器情報管理部、
少なくとも時間又は季節毎にマスタ候補となる機器を指示したスケジュール情報を管理するスケジュール情報管理部、
マスタ機器として動作している場合に、所定のタイミングにおいて、前記スケジュール情報によって当該所定のタイミングにおける時間又は季節に指示されたマスタ候補となるスレーブ機器の中から、前記他機器情報に基づいて最適な１つのスレーブ機器を特定し、当該特定したスレーブ機器から状態変化に関する所定情報を取得する機器情報処理部、及び
前記機器情報処理部が取得した前記特定したスレーブ機器の状態変化に関する所定情報と前記自機器情報に含まれる前記自機器の状態変化に関する所定情報とを比較し、前記特定したスレーブ機器の方が状態変化が少なければ当該２つの機器間でマスタ動作とスレーブ動作とを交換する交換制御部として機能する回路を、集積している。